(57)【特許請求の範囲】
【請求項１】
材質が少なくとも耐洗紙であり、
長方形状の帯部と、
前記帯部の長手方向の一端部に接続される留め部と、
前記帯部の長手方向の他端部に接続され、所定のキャラクターの形状に切り取られた装飾部と、
前記帯部の長手方向の一端部の近傍の両側部から前記留め部の中央部に向かって略Ｌ字状にそれぞれ切り込まれて、一対の引っ掛け部を形成する一対の切り込みと、
前記帯部の長手方向の他端部の近傍に、前記帯部の短手方向に沿って切り込まれるとともに、前記帯部の長手方向に沿い、且つ、前記装飾部の端部に向かって切り込みの短手方向のサイズが狭くなるように切り込まれた略三角形状スリットと、
を備え、
前記留め部の短手方向の両端部を留め部の長手方向に沿って二つ折りにすることで、前記一対の切り込みにより、前記略三角形状スリットに対応して、当該二つ折りにした留め部の長手方向から見た形状を少なくとも略三角形状とし、前記帯部を対象物に巻き付けて、前記二つ折りにした留め部を前記略三角形状スリットの長手方向の部分に差し込み、当該差し込んだ留め部の一対の引っ掛け部を前記略三角形状スリットの短手方向の部分から出した後、前記二つ折りの留め部を元に戻して、前記一対の引っ掛け部を前記略三角形状スリットの短手方向の部分に引っ掛けることを特徴とするタッグ。
【請求項２】
前記略三角形状スリットの長手方向の部分のサイズは、前記二つ折りにした留め部の短手方向のサイズ以上であり、
前記略三角形状スリットの短手方向の部分のサイズは、前記一対の切り込みのそれぞれの先端部の間の長さ以上である
請求項１に記載のタッグ。
【請求項３】
前記留め部が、前記装飾部のキャラクターに対応したキャラクターを有し、
前記戻した留め部と前記装飾部とを広げると、当該広げられた留め部と装飾部のキャラクターが一体となって一つのモチーフを醸し出す
請求項１又は２に記載のタッグ。
【請求項４】
材質が少なくとも耐洗紙であり、
長方形状の帯部と、
前記帯部の長手方向の一端部に接続される留め部と、
前記帯部の長手方向の他端部に接続され、所定のキャラクターの形状に切り取られた装飾部と、
前記帯部の長手方向の一端部の近傍の両側部から前記留め部の中央部に向かって略Ｌ字状にそれぞれ切り込まれて、一対の引っ掛け部を形成する一対の切り込みと、
前記帯部の長手方向の他端部の近傍に、前記帯部の短手方向に沿って切り込まれるとともに、前記帯部の長手方向に沿い、且つ、前記装飾部の端部に向かって切り込まれた略Ｔ字状スリットと、
を備え、
前記留め部の短手方向の両端部を留め部の長手方向に沿って二つ折りにすることで、前記一対の切り込みにより、前記略Ｔ字状スリットに対応して、当該二つ折りにした留め部の長手方向から見た形状を少なくとも略三角形状とし、前記帯部を対象物に巻き付けて、前記二つ折りにした留め部を前記略Ｔ字状スリットの長手方向の部分に差し込み、当該差し込んだ留め部の一対の引っ掛け部を前記略Ｔ字状スリットの短手方向の部分から出した後、前記二つ折りの留め部を元に戻して、前記一対の引っ掛け部を前記略Ｔ字状スリットの短手方向の部分に引っ掛けることを特徴とするタッグ。
【発明の詳細な説明】
【技術分野】
【０００１】
本発明は、タッグに関し、詳しくは、簡単に装着出来るとともに、極めて外れ難いタッグに関する。
【背景技術】
【０００２】
従来より、クリーニングタッグ等のタッグは、ホッチキス針でタッグの両端部を止着して衣服等の対象物に装着していたが、ホッチキス針により衣服が損傷するという課題がある。又、タッグの取り外しには、ホッチキス針の取り外しが生じるため、手間になるという課題がある。更に、一つのタッグに一つのホッチキス針が必要となり、トータルコストが上昇するという課題がある。
【０００３】
そこで、例えば、特開２００１−２９６９９号公報（特許文献１）には、クリーニングタッグのほぼ中央部の両側に、それぞれ凹みが形成され、クリーニングタッグの一端に先細りの山形の係止部が形成されたクリーニングタッグが開示されている。前記係止部とタッグシート本体との間に切欠が形成され、クリーニングタッグの他端近くに、係止部を挿通するスリットがクリーニングタッグの幅方向に形成され、前記切欠の間隔がスリットの長さとほぼ同じ寸法であることを特徴とする。これにより、ホッチキス針を使用することなく、洗濯物へのクリーニングタッグの取付も容易であるとともにクリーニングタッグの取り外しも容易であるとしている。
【０００４】
又、特開平７−２０７８６号公報（特許文献２）には、ノッチ部のない係合穴を有するシート状雌部材と、該係合穴に挿通して係合される係合部を有するシート状雄部材とからなるシート状係合部材が開示されている。前記雄部材の係合部は、前記係合穴より大きい頭部と、該頭部に続いて形成される狭幅の首部と、該首部に続いて形成される本体部とからなる。そして、前記頭部と首部の連結縁および該首部と前記本体部の連結縁は弧状に形成されている。これにより、シート状物の弾性回復力をうまく利用し、極めて簡単な構成および操作で係合することが出来るとしている。又、シート状素材の種類や係合穴と頭部の寸法比等を変えることにより用途・目的に応じた様々の係合強度を得ることが出来て、エアラインタッグ、手荷物の一時預かり用ラベル、草木等の銘柄表示用ラベル等として幅広く活用出来、簡易引掛けタイプのハンガー型表示用部材等としても活用出来るとしている。
【０００５】
又、実用新案登録第３００５１１２号公報（特許文献３）には、衣類のボタン孔、襟吊り、ベルト通し等に挿入する取付部と、顧客の識別番号または氏名等を記入する表示部とから構成されたクリーニングタッグが開示されている。前記取付部に、表示部を挿入する切線を設け、一方、前記の表示部に、切線に係止する切込舌片を設ける。これにより、衣類えの取り付けを容易且つ確実に行うことができると共に、クリーニング中に他の衣類を傷けることがなく、又、クリーニング中に衣類から離脱することがないとしている。
【０００６】
又、実開平６−２３８０号公報（特許文献４）には、情報表示用の表示部を備えた取付け帯を取付け部に挿通したのち一方を折返し、折曲部を挟んだ両片同士を連結して、取付け品に対して固定するタグの固定構造が開示されている。前記取付け帯の一端部に幅狭の首部を形成して差込み片を設け、当該差込み片から前記折返しを行なう所定間隔を隔てた位置に、前記差込み片の挿通可能な差込み用切目を形成する。又、当該差込み用切目とは切込み方向を異にして連続し、前記差込み片の首部を係止する係止部を形成している。これにより、タグの固定は取付け帯上での相互の係止によっており、従来のように剥離紙をはぎ取った後に整合するような手間はかからず、差込み片を差込み用切目に対して差し込んだ後でねじるだけでよく、迅速、かつ非常に簡単に行なえるとしている。
【先行技術文献】
【特許文献】
【０００７】
【特許文献１】特開２００１−２９６９９号公報
【特許文献２】特開平７−２０７８６号公報
【特許文献３】実用新案登録第３００５１１２号公報
【特許文献４】実開平６−２３８０号公報
【発明の概要】
【発明が解決しようとする課題】
【０００８】
しかしながら、上述した特許文献１に記載のタッグでは、係止部を折り曲げることなく、単にスリットに軽く通して、係止部の一対の切欠をスリットの両側に軽く係止する構成である。そのため、クリーニング中に係止部の切欠がスリットの側部に強く係止されると、当該スリットの側部を千切って、係止部がスリットから外れる可能性がある。
【０００９】
又、上述した特許文献２に記載のタッグでは、係合穴を打抜き円弧で形成し、頭部を折り曲げて幅を狭め、係合穴に挿通させて、首部を当該係合穴内に通して係止する構成である。そのため、頭部の幅を非常に狭くするように頭部を細かく折り曲げないと、当該係合穴に挿通させることが出来ない可能性が高く、取り付け作業の効率が悪いという課題がある。又、上述した特許文献２に記載のタッグでは、ノッチ部のない係合穴と、頭部と首部との連結部（連結縁）は、弧状に形成させ、係合穴にも連結縁にも応力集中を起さないようにしている。そのため、頭部を係合穴に引っ掛けると、当該頭部と本体部を連結する首部に引っ張り張力がそのまま掛かり、首部が容易に千切れる可能性がある。
【００１０】
又、上述した特許文献３、４に記載のタッグでは、対象物への取り付けが容易であるため、逆に、当該対象物から外れ易いという課題がある。又、一般に、対象物へのタッグの取り付け作業は容易になる程、当該対象物からのタッグは外れ易くなるという課題がある。そのため、タッグの取り付け作業の簡素化と、タッグの外れ難さとを両立させる技術は、タッグの業界で切望されている。
【００１１】
そこで、本発明は、前記課題を解決するためになされたものであり、簡単に装着出来るとともに、極めて外れ難いタッグを提供することを目的とする。
【課題を解決するための手段】
【００１２】
本発明者は、鋭意研究を重ねた結果、本発明に係る新規なタッグを完成させた。即ち、本発明に係るタッグは、材質が少なくとも耐洗紙であり、帯部と、留め部と、装飾部と、一対の切り込みと、略三角形状スリットと、を備える。帯部は、長方形状であり、留め部は、前記帯部の長手方向の一端部に接続される。装飾部は、前記帯部の長手方向の他端部に接続され、所定のキャラクターの形状に切り取られる。一対の切り込みは、前記帯部の長手方向の一端部の近傍の両側部から前記留め部の中央部に向かって略Ｌ字状にそれぞれ切り込まれて、一対の引っ掛け部を形成する。略三角形状スリットは、前記帯部の長手方向の他端部の近傍に、前記帯部の短手方向に沿って切り込まれるとともに、前記帯部の長手方向に沿い、且つ、前記装飾部の端部に向かって切り込みの短手方向のサイズが狭くなるように切り込まれる。
【００１３】
そして、本発明に係るタッグは、前記留め部の短手方向の両端部を留め部の長手方向に沿って二つ折りにすることで、前記一対の切り込みにより、前記略三角形状スリットに対応して、当該二つ折りにした留め部の長手方向から見た形状を少なくとも略三角形状とし、前記帯部を対象物に巻き付けて、前記二つ折りにした留め部を前記略三角形状スリットの長手方向の部分に差し込み、当該差し込んだ留め部の一対の引っ掛け部を前記略三角形状スリットの短手方向の部分から出した後、前記二つ折りの留め部を元に戻して、前記一対の引っ掛け部を前記略三角形状スリットの短手方向の部分に引っ掛ける。
【００１４】
又、略三角形状スリットに代えて、前記帯部の長手方向の他端部の近傍に、前記帯部の短手方向に沿って切り込まれるとともに、前記帯部の長手方向に沿い、且つ、前記装飾部の端部に向かって切り込まれた略Ｔ字状スリットとしても良い。
【発明の効果】
【００１５】
本発明に係るタッグによれば、簡単に装着出来るとともに、極めて外れ難いタッグを提供することが可能となる。
【図面の簡単な説明】
【００１６】
【図１】本発明に係る第一のタッグの正面図、背面図、底面図である。
【図２】本発明に係る第一のタッグの取り付け方法を示す第一の正面図及び二つ折りの留め部を長手方向から見た参考図（図２Ａ）と、本発明に係る第一のタッグの取り付け方法を示す第二の正面図及び第一の背面図（図２Ｂ）とである。
【図３】本発明に係る第一のタッグの取り付け方法を示す第二の背面図（図３Ａ）と、本発明に係る第一のタッグの取り付け方法を示す第三の背面図（図３Ｂ）とである。
【図４】本発明に係る第一のタッグの取り付け方法を示す第三の正面図（図４Ａ）と、本発明に係る第一のタッグにメッセージが付された場合の正面図（図４Ｂ）とである。
【図５】本発明に係る第一のタッグのキャラクターを設計変更した場合の正面図である。
【図６】本発明に係る第二のタッグの正面図、背面図、底面図である。
【図７】本発明に係る第二のタッグの取り付け方法を示す第一の正面図及び二つ折りの留め部を長手方向から見た参考図（図７Ａ）と、本発明に係る第二のタッグの取り付け方法を示す第二の正面図及び第一の背面図（図７Ｂ）とである。
【図８】本発明に係る第二のタッグの取り付け方法を示す第二の背面図（図８Ａ）と、本発明に係る第二のタッグの取り付け方法を示す第三の背面図（図８Ｂ）とである。
【図９】本発明に係る第二のタッグの取り付け方法を示す第四の正面図（図９Ａ）と、本発明に係る第二のタッグにメッセージが付された場合の正面図（図９Ｂ）とである。
【図１０】本発明に係る第一のタッグ及び第二のタッグを花の茎に取り付けた場合の参考図（図１０Ａ）と、本発明に係る第二のタッグを花の茎に取り付けた場合の参考図（図１０Ｂ）とである。
【図１１】本発明に係る第三のタッグの正面図（図１１Ａ）と、本発明に係る第三のタッグの取り付け方法を示す第一の正面図及び二つ折りの留め部を長手方向から見た参考図（図１１Ｂ）とである。
【図１２】本発明に係る第三のタッグの取り付け方法を示す第二の正面図及び第一の背面図（図１２Ａ）と、本発明に係る第三のタッグの取り付け方法を示す第二の背面図（図１２Ｂ）とである。
【図１３】本発明に係る第三のタッグの取り付け方法を示す第三の背面図（図１３Ａ）と、本発明に係る第三のタッグの取り付け方法を示す第四の正面図（図１３Ｂ）とである。
【図１４】本発明に係る第三のタッグを付けた傘を開いた場合の参考図（図１４Ａ）と、本発明に係る第三のタッグを付けた傘を閉じた場合の参考図（図１４Ｂ）とである。
【図１５】本発明に係る第三のタッグのキャラクターを設計変更した場合の正面図である。
【図１６】本発明に係る第四のタッグの正面図（図１６Ａ）と、本発明に係る第四のタッグをバッグの持ち手に取り付けた場合の参考図（図１６Ｂ）とである。
【図１７】本発明に係る第五のタッグの正面図（図１７Ａ）と、本発明に係る第五のタッグを腕に取り付けた場合の参考図（図１７Ｂ）とである。
【発明を実施するための形態】
【００１７】
以下に、添付図面を参照して、本発明に係るタッグの実施形態について説明し、本発明の理解に供する。尚、以下の実施形態は、本発明を具体化した一例であって、本発明の技術的範囲を限定する性格のものではない。
【００１８】
本発明に係るタッグ１は、図１に示すように、材質が少なくとも耐洗紙であり、帯部１０と、留め部１１と、装飾部１２と、一対の切り込み１３と、略三角形状スリット１４とを備える。
【００１９】
前記帯部１０は、長方形状であり、前記留め部１１は、前記帯部１０の長手方向の一端部１０ａに接続される。又、装飾部１２は、前記帯部１０の長手方向の他端部１０ｂに接続され、所定のキャラクター（例えば、葉っぱ）の形状に切り取られている。尚、留め部１１も、前記装飾部１２のキャラクターに対応したキャラクター（例えば、小さな葉っぱ）の形状に切り取られている。又、留め部１１は、留め部１１の短手方向のサイズｔ１が前記帯部１０の短手方向のサイズｔ２以上のサイズであり、装飾部１２は、装飾部１２の短手方向のサイズｔ３が前記帯部１０の短手方向のサイズｔ２以上のサイズである。
【００２０】
又、前記一対の切り込み１３は、前記帯部１０の長手方向の一端部１０ａの近傍の両側部１０ｃから前記留め部１１の中央部１１ａに向かって略Ｌ字状にそれぞれ切り込まれて、一対の引っ掛け部１３ａを形成している。ここで、略Ｌ字状には、例えば、Ｌ字状、図１に示す円弧状を含む。又、前記略三角形状スリット１４は、前記帯部１０の長手方向の他端部１０ｂの装飾部１２側の近傍に、前記帯部１０の短手方向に沿って切り込まれるとともに、前記帯部１０（又は装飾部１２）の長手方向に沿い、且つ、前記装飾部１２の端部に向かって切り込みの短手方向のサイズが狭くなるように切り込まれている。ここで、略三角形状には、例えば、前記帯部１０の長手方向に対応する三角形状の高さが、前記帯部１０の短手方向に対応する三角形状の底辺よりも長い三角形状、二等辺三角形状、不等辺三角形状、図１に示す底辺以外の二辺が円弧状である略三角形状を含む。又、略三角形状スリット１４の長手方向の部分１４ａが向かう装飾部１２の端部は、例えば、前記帯部１０の長手方向の他端部１０ｂと対向する装飾部１２の長手方向の端部、装飾部１２の短手方向の端部を含む。
【００２１】
そして、本発明に係るタッグ１は、図２Ａに示すように、前記留め部１１の短手方向の両端部１１ｂを留め部１１の長手方向に沿って二つ折りにすることで、前記一対の切り込み１３により、前記略三角形状スリット１４に対応して、当該二つ折りにした留め部１１の長手方向から見た形状Ｓを少なくとも略三角形状とする。これは、前記一対の引っ掛け部１３ａが前記留め部１１の短手方向の両端部１１ｂとともに内側に折り込まれることで、前記二つ折りにした留め部１１の折り線が擬似的に頂点となり、前記留め部１１の短手方向の両端部１１ｂが擬似的に底辺の両頂点となって、当該二つ折りにした留め部１１の長手方向から見た形状Ｓが擬似的に略二等辺三角形状と見える。尚、前記二つ折りの留め部１１の略三角形状Ｓは、前記帯部１０を対象物Ｔに巻き付ける前の時点で、前記帯部１０を介して、略三角形状スリット１４と対象になる。そして、図２Ｂに示すように、前記帯部１０を対象物Ｔに巻き付けて、前記二つ折りにした留め部１１を前記略三角形状スリット１４の長手方向の部分１４ａに差し込む。ここで、前記二つ折りの留め部１１の略三角形状の頂点（折り線）を、前記略三角形状スリット１４の長手方向の頂点（前記略三角形状スリット１４の長手方向の部分１４ａの先端）に差し込むことで、前記二つ折りの留め部１１の略三角形状が、前記略三角形状スリット１４に挿通し（嵌り）、当該二つ折りの留め部１１が容易に前記略三角形状スリット１４に差し込まれる。
【００２２】
次に、図３Ａに示すように、前記差し込んだ留め部１１の（略三角形状の部分Ｓの）一対の引っ掛け部１３ａを前記略三角形状スリット１４の短手方向の部分１４ｂから出した後、図３Ｂに示すように、前記二つ折りの留め部１１を元に戻す。つまり、留め部１１の短手方向の両端部１１ｂを二つ折りにした方向と逆方向に戻す。
【００２３】
そして、図３Ｂに示すように、前記一対の引っ掛け部１３ａを前記略三角形状スリット１４の短手方向の部分１４ｂに引っ掛ける。これにより、本発明に係るタッグ１の帯部１０が対象物Ｔに巻き付いた状態になり、略三角形状スリット１４への留め部１１の装着が完了する。
【００２４】
ここで、図３Ｂに示すように、前記戻した留め部１１と前記装飾部１２とを広げる。つまり、留め部１１を装飾部１２と逆方向に広げる。すると、図４Ａに示すように、留め部１１と装飾部１２とが丁度開いた状態となり、前記装飾部１２のキャラクターで対象物Ｔを装飾することが出来る。
【００２５】
特に、留め部１１が、前記装飾部１２のキャラクターに対応したキャラクターを有し、前記広げられた留め部１１と装飾部１２のキャラクターが一体となって一つのモチーフを醸し出すと好ましい。ここで、モチーフとは、留め部１１と装飾部１２のキャラクターが相互に観念的共通点を有し、一体となって何らかのイメージを形成することを意味する。図４Ａでは、装飾部１２の葉っぱと、留め部１１の小さな葉っぱにより、対象物Ｔから二つの葉っぱが生えたイメージを形成する。これにより、ユーザーに、タッグ１自身をより一層視覚的に楽しませることが可能となる。
【００２６】
又、本発明に係るタッグ１の取り付け作業は、留め部１１を二つ折りにして略三角形状スリット１４に挿通して元に戻すだけである（一回の折り曲げと一回の戻しで済む）。そのため、従来のタッグと比較して、タッグ１の取り付け作業を極めて容易にすることが可能となる。本発明に係るタッグ１では、従来のタッグのように、スリットに対応して留め部を細かく折り曲げて留め部の幅を狭くする必要はない。
【００２７】
又、一対の引っ掛け部１３ａを略三角形状スリット１４の短手方向の部分１４ｂに引っ掛けた上で、対象物Ｔにタッグ１を取り付けているため、このタッグ１に少々の引っ張りの力が加わっても、このタッグ１を外すことが出来なくなる。タッグ１を千切らない限り、対象物Ｔから殆ど外すことが出来ない。そのため、タッグ１を、非常に長期間（例えば、半年から数年）、対象物Ｔに取り付けておくことが可能となる。従って、本発明では、タッグ１の取り付け作業の簡素化とタッグ１の外れ難さとを両立させることが可能となるのである。
【００２８】
又、図４Ｂに示すように、装飾部１２の表面に、所定のメッセージＭ（例えば、「いつもありがとう」）を水性ペン、油性ペン、ボールペン等で書き込むことで、メッセージカードのタッグ１として使用することが出来る。もちろん、留め部１１の表面にも、所定のメッセージを書き込んでも良い。
【００２９】
特に、本発明に係るタッグ１の材質を耐洗紙とすることで、タッグ１全体を水で濡れても破れにくくすることが可能となるため、花壇や鉢花等のメモ、注意書きやラベルのタッグ１として使用しても良いし、傘やショッピングバッグへのメモ、買い物リストのタッグ１として利用しても良い。尚、タッグ１の材質は、耐洗紙の他に、プラスチックフィルムや耐久性のシート、織布、不織布等を挙げることが出来る。
【００３０】
更に、本発明に係るタッグ１は、ホッチキス針を使用しておらず、耐洗紙をカットするだけで製造することが出来るため、従来からクリーニングタッグ等のタッグの製造に用いていた片刃をそのまま利用することが出来る。そのため、本発明に係るタッグ１は、タッグの製造に要する設備等をそのまま転用することが可能となり、製造コストを抑えて、大量生産することが可能となる。
【００３１】
ここで、前記略三角形状スリット１４の長手方向の部分１４ａのサイズｔ４は、前記二つ折りにした留め部１１の短手方向のサイズ以上であると好ましい。これにより、ユーザーが、前記二つ折りにした留め部１１を前記略三角形状スリット１４の長手方向の部分１４ａに挿通し易くなる。
【００３２】
又、前記略三角形状スリット１４の短手方向の部分１４ａのサイズｔ５は、前記一対の切り込み１３のそれぞれの先端部１３ｂの間の長さｔ６以上であると好ましい。これにより、ユーザーが、前記二つ折りにした留め部１１の略三角形状の部分Ｓを前記略三角形状スリット１４の短手方向の部分１４ｂに通し易くなるため、前記一対の引っ掛け部１３ａを当該略三角形状スリット１４の短手方向の部分１４ｂに引っ掛け易くなる。
【００３３】
又、留め部１１の短手方向の中央に対応する留め部１１の長手方向の中央線に折り目１１ｃが設けられると好ましい。これにより、ユーザーが、前記留め部１１を二つ折りにし易くなる。尚、前記折り目１１ｃの設け方は、スジ入れ加工でもミシン目入れ加工でも良い。又、装飾部１２の短手方向の中央に対応する装飾部１２の長手方向の中央線に、前記略三角形状スリット１４の長手方向の部分１４ａに沿って折り目１２ａが設けられても良い。
【００３４】
又、略三角形状スリット１４の長手方向の部分１４ａの先端に小円の係合穴１４ｃが設けられると好ましい。これにより、前記二つ折りにした留め部１１を前記略三角形状スリット１４の長手方向の部分１４ａに挿通した際に、当該略三角形状スリット１４の長手方向の部分１４ａの先端に、前記二つ折りの留め部１１の折り目が当たっても破れにくくすることが可能となる。
【００３５】
尚、装飾部１２と留め部１１のキャラクターの葉っぱは、適宜設計変更しても構わない。例えば、図５に示すように、広葉樹、針葉樹等の葉っぱとしても良い。
【００３６】
ところで、上述では、装飾部１２のキャラクターを葉っぱとし留め部１１のキャラクターを小さな葉っぱとしたが、他のキャラクターでも良い。例えば、図６に示すように、装飾部１２が、蝶々の左半分の大きな翼の形状に切り取られ、留め部１１が、蝶々の右半分の小さな翼の形状に切り取られている。前記略三角形状スリット１４は、前記帯部１０の長手方向の他端部１０ｂの装飾部１２側の近傍に、前記帯部１０の短手方向に沿って切り込まれるとともに、前記装飾部１２の長手方向に沿い、且つ、前記装飾部１２の短手方向の一方（上方向）に向かって切り込みの短手方向のサイズが狭くなるように切り込まれている。又、前記折り目１１ｃは、前記略三角形状スリット１４の長手方向の部分１４ａに対応して、前記留め部１１の長手方向に沿い、且つ、前記留め部１１の短手方向の一方（下方向）に沿って設けられている。前記帯部１０と前記一対の切り込み１３と前記係合穴１４ｃとは、上述と同様であり、このような構成であっても、上述した本発明の作用効果を得ることが可能である。
【００３７】
つまり、図７Ａに示すように、前記留め部１１の短手方向の両端部１１ｂを留め部１１の長手方向に沿って二つ折りにすることで、前記一対の切り込み１３により、前記略三角形状スリット１４に対応して、当該二つ折りにした留め部１１の長手方向から見た形状Ｓを少なくとも略三角形状とする。ここで、図７Ａに示すように、前記二つ折りの留め部１１の折り線が擬似的に頂点となり、前記留め部１１の短手方向の両端部１１ｂが擬似的に底辺の両頂点となって、当該二つ折りの留め部１１の長手方向から見た形状Ｓが擬似的に略不等辺三角形状と見える。そして、図７Ｂに示すように、前記二つ折りにした留め部１１を前記略三角形状スリット１４の長手方向の部分１４ａに差し込む。又、前記二つ折りの留め部１１の略三角形状の頂点を、前記略三角形状スリット１４の長手方向の頂点に差し込むことで、前記二つ折りの留め部１１の略三角形状が、前記略三角形状スリット１４に嵌り、当該二つ折りの留め部１１が容易に前記略三角形状スリット１４に差し込まれる。更に、図８Ａに示すように、前記差し込んだ留め部１１の一対の引っ掛け部１３ａを前記略三角形状スリット１４の短手方向の部分１４ｂから出した後、図８Ｂに示すように、前記二つ折りの留め部１１を元に戻して、前記一対の引っ掛け部１３ａを前記略三角形状スリット１４の短手方向の部分１４ｂに引っ掛ける。そして、前記戻した留め部１１と前記装飾部１２とを広げると、図９Ａに示すように、装飾部１２の蝶々の左半分の大きな翼と、留め部１１の蝶々の右半分の小さな翼とにより、対象物Ｔに蝶々が留まったイメージを形成する。又、図９Ｂに示すように、今度は、留め部１１の表面に、所定のメッセージＭ（例えば、「ご苦労様」）を油性ペン等で書き込むことで、メッセージカードのタッグ１として使用することが出来る。
【００３８】
図１０Ａ、図１０Ｂに示すように、本発明に係るタッグ１を植木鉢の花の茎に取り付けることで、花を葉っぱや蝶々で装飾することが出来て、ユーザーを視覚的に楽しませることが可能となる。又、ユーザーが植木鉢の花に水を注いだ際に、タッグ１が濡れても破れないため、長期間に渡って装飾を維持させることが出来る。ここで、タッグ１に、ユーザーが花を贈呈した際のメッセージや日付を記入しておくことで、半永久的に、花贈呈時のメッセージを保つことが可能となり、プレゼントとしての花の価値を高める。
【００３９】
又、上述では、略三角形状スリット１４としたが、略Ｔ字状スリットでも良い。更に、上述では、装飾部１２に略三角形状スリット１４を設けたが、帯部１０を長めに設けて、当該帯部１０に略Ｔ字状スリットを設けても良い。例えば、図１１Ａに示すように、装飾部１２が、テルテル坊主の形状に切り取られ、留め部１１が、雫の形状に切り取られている。そして、略三角形状スリット１４の代わりに、一対の切り込み１３と対向する帯部１０の長手方向の他端部の近傍（前記帯部１０の所定の位置）に、前記帯部１０の短手方向に沿って切り込まれるとともに、当該帯部１０の長手方向に沿い、且つ、前記装飾部１２の端部に向かって切り込まれた略Ｔ字状スリット１４が備えられている。尚、前記一対の切り込み１３は、上述と同様であり、このような構成であっても、上述した本発明の作用効果を得ることが可能である。
【００４０】
つまり、図１１Ｂに示すように、前記留め部１１の短手方向の両端部１１ｂを留め部１１の長手方向に沿って二つ折りにすることで、前記一対の切り込み１３により、前記略Ｔ字状スリット１４に対応して、当該二つ折りにした留め部１１の長手方向から見た形状Ｓを少なくとも略三角形状とする。ここで、図１１Ｂに示すように、前記二つ折りの留め部１１の折り線が擬似的に頂点となり、前記留め部１１の短手方向の両端部１１ｂが擬似的に底辺の両頂点となって、当該二つ折りの留め部１１の長手方向から見た形状Ｓが擬似的に略三角形状と見える。そして、図１２Ａに示すように、前記二つ折りにした留め部１１を前記略Ｔ字状スリット１４の長手方向の部分１４ａに差し込む。ここで、前記二つ折りの留め部１１の略三角形状の頂点を、前記略Ｔ字状スリット１４の長手方向の頂点に差し込むことで、前記二つ折りの留め部１１の略三角形状が、前記略Ｔ字状スリット１４に入り、当該二つ折りの留め部１１が前記略Ｔ字状スリット１４に差し込まれる。そして、略Ｔ字状スリット１４の長手方向の部分１４ａが、略Ｔ字状スリット１４の短手方向の部分１４ｂにより広がる。更に、図１２Ｂに示すように、前記差し込んだ留め部１１の一対の引っ掛け部１３ａを前記略Ｔ字状スリット１４の短手方向の部分１４ｂから通す。ここで、略Ｔ字状スリット１４の長手方向の部分１４ａが、前記留め部１１の挿通により、更に広がって、上述のような略三角形状スリットのような開口となる。そのため、前記二つ折りの留め部１１の部分Ｓが厳密に略Ｔ字状を取らずに、略三角形状であっても、この留め部１１の部分Ｓを、前記略Ｔ字状スリット１４の短手方向の部分１４ｂまで突き通すことが出来る。その後、図１３Ａに示すように、前記二つ折りの留め部１１を元に戻して、前記一対の引っ掛け部１３ａを前記略Ｔ字状スリット１４の短手方向の部分１４ｂに引っ掛ける。そして、前記戻した留め部１１を帯部１０に当接させると、図１３Ｂに示すように、装飾部１２のテルテル坊主が、対象物Ｔから帯部１０を介してぶら下るように装着される。そのため、例えば、図１４Ａに示すように、タッグ１を傘の骨部に取り付ければ、傘を開くことで、装飾部１２のテルテル坊主（又は雫）のぶら下りを楽しむことが出来る。又、装飾部１２の表面は、上述のように、所定のメッセージや名前を油性ペン等で書き込むことが出来るため、例えば、図１４Ｂに示すように、装飾部１２の表面に名前を書き込んでおけば、傘を閉じた際に、傘の柄に装飾部１２が出てきて、自分のものであることを示す識別タッグ１としても利用出来る。
【００４１】
尚、装飾部１２のキャラクターのテルテル坊主は、適宜設計変更しても構わない。例えば、図１５に示すように、大きな雫や飛行機としても良い。
【００４２】
又、上述では、帯部１０に略Ｔ字状スリットを設けたが、装飾部１２に略Ｔ字状スリットを設けても良い。更に、上述では、留め部１１と帯部１０とを別体として扱ったが、帯部１０の一部を留め部１１としても良い。例えば、図１６Ａに示すように、装飾部１２が、略六角形状のラベルの形状に切り取られ、長尺の帯部１０の長手方向の一端部に、一対の切り込み１３が設けられることで、帯部１０の長手方向の一端部を留め部１１としている。又、留め部１１と対向する前記帯部１０の長手方向の他端部の近傍（前記装飾部１２の所定の位置）に、前記装飾部１２の短手方向に沿って切り込まれるとともに、当該装飾部１０の長手方向に沿い、且つ、前記装飾部１０の端部に向かって切り込まれた略Ｔ字状スリット１４が備えられている。尚、帯部１０は、装飾部１２の長手方向に対して斜めに設けられている。このような構成であっても、上述した本発明の作用効果を得ることが可能である。例えば、図１６Ｂに示すように、バッグの持ち手の部分に、タッグ１を装着し、装飾部１２の表面に、買うべき物の買い物リストを油性ペン等で書き込むことで、買い物リスト用タッグ１としても利用出来る。
【００４３】
又、装飾部１２の形状を単純化し、帯部１０を長めに形成して、この帯部１０の表面に所定のメッセージを記入しても良い。例えば、図１７Ａに示すように、装飾部１２が、大きな円形状に切り取られ、この装飾部１２に略Ｔ字形状スリット１４が設けられる。又、留め部１１が、小さな円形状に切り取られ、帯部１０が長めに構成される。このような構成であっても、上述した本発明の作用効果を得ることが可能である。例えば、図１７Ｂに示すように、腕にタッグ１を装着し、帯部１０の表面に、やるべき事項（例えば、「ＴＥＬする」）を油性ペン等で書き込むことで、やるべき事項の忘れ防止用タッグ１としても利用出来る。
【００４４】
尚、上述したキャラクターの種類は、本発明の目的を阻害しない限り、特に限定は無く、例えば、動物、植物、建物、乗り物、飲食用具、食器、飲食物、人物の各部、人物像、道具、服装、装飾品、風景、幾何学形状、文字（アルファベット、平仮名、片仮名、漢字等）等を採用することが出来る。
【産業上の利用可能性】
【００４５】
以上のように、本発明に係るタッグは、ラベルや表示等のタッグの分野に有用であり、簡単に装着出来るとともに、極めて外れ難いタッグとして有効である。
【符号の説明】
【００４６】
１  タッグ
１０  帯部
１１  留め部
１２  装飾部
１３  一対の切り込み
１４  略三角形状スリット、略Ｔ字状スリット
【要約】      （修正有）【課題】簡単に装着できるとともに、極めて外れ難いタッグを提供する。【解決手段】帯部１０と、帯部１０の長手方向の一端部に接続される留め部１１と、帯部１０の長手方向の他端部に接続され、所定のキャラクターの形状に切り取られた装飾部１２と、帯部１０の長手方向の一端部の近傍の両側部から留め部１１の中央部に向かって略Ｌ字状にそれぞれ切り込まれて、一対の引っ掛け部を形成する一対の切り込み１３と、帯部１０の長手方向の他端部の近傍に、帯部１０の短手方向に沿って切り込まれるとともに、帯部１０の長手方向に沿い、且つ、装飾部１２の端部に向かって切り込みの短手方向のサイズが狭くなるように切り込まれた略三角形状スリット１４とを備える。【選択図】図１【図１】
0005640289.tif 000002
【図２】
0005640289.tif 000003
【図３】
0005640289.tif 000004
【図４】
0005640289.tif 000005
【図５】
0005640289.tif 000006
【図６】
0005640289.tif 000007
【図７】
0005640289.tif 000008
【図８】
0005640289.tif 000009
【図９】
0005640289.tif 000010
【図１０】
0005640289.tif 000011
【図１１】
0005640289.tif 000012
【図１２】
0005640289.tif 000013
【図１３】
0005640289.tif 000014
【図１４】
0005640289.tif 000015
【図１５】
0005640289.tif 000016
【図１６】
0005640289.tif 000017
【図１７】
0005640289.tif 000018